(57)【要約】【構成】インキを含侵させた板状のインキ吸蔵体を内装体に内包し、更に前記内装体を内包する外装体を設けており、前記内装体と前記外装体の表面及び裏面の、どちらか少なくとも一方面に孔を設け、前記外装体の孔を内装体の孔より大径として、内装体の孔を繰返し開放・密封可能であるようなラベル体により密閉しており、使用時には前記ラベル体を外し、孔を頂点にするように外装体と内装体を折り曲げ、前記孔から内包されているインキ吸蔵体を露呈させ筆記可能状態とした塗布具において、前記外装体に、使用時に外した前記ラベル体を収納するための切込みを設けたことを特徴とする塗布具。【効果】手軽にポケットやカバンに収納でき繰返し使用可能な上、外装体に、使用時に外したラベル体５を収納するための切込み６を設けることにより、使用時に外したラベル体によるインキ汚れや、ラベル体自体の紛失を防止することを目的とする。【選択図】            図１
2004230683.tif 000002
【特許請求の範囲】
【請求項１】
インキを含侵させた板状のインキ吸蔵体を内装体に内包し、更に前記内装体を内包する外装体を設けており、前記内装体と前記外装体の表面及び裏面の、どちらか少なくとも一方面に孔を設け、前記外装体の孔を内装体の孔より大径として、内装体の孔を繰返し開放・密封可能であるようなラベル体により密閉しており、使用時には前記ラベル体を外し、孔を頂点にするように外装体と内装体を折り曲げ、前記孔から内包されているインキ吸蔵体を露呈させ筆記可能状態とした塗布具において、前記外装体に、使用時に外した前記ラベル体を収納するための切込みを設けたことを特徴とする塗布具。
【発明の詳細な説明】
【０００１】
【産業上の利用分野】
本願発明は、携帯に便利な板状の塗布具に関するものである。
【０００２】
【従来の技術】
従来より筆記具（塗布具）は、本体があり内部にインキを含侵した柱状体のインキ吸蔵体を設け、本体の後端を尾栓と称するもので密閉嵌合を行なったり、また有底筒体の本体に前記のようなインキ吸蔵体を設けて、更に本体先端にはペン芯を嵌合固定したり、ペン芯ホルダーにペン芯を嵌合固定したりして、ペン先にまでインキを浸透させ、このペン芯を覆い、本体の先端と密閉嵌合するキャップを着脱自在にしたインキをインキ吸蔵体に含侵した筆記具（塗布具）がある（例えば、特許文献１参照。）。
【０００３】
また、液状又はゲル状のインキを筒状体に充填させ、その先端に弁機構等を設けている筆記具（塗布具）や、設けないものもあり、更にこれら筆記具（塗布具）の筒状体の先端にボールチップや繊維芯を設け、これら筆記先端をキャップで着脱自在に密閉嵌合している筆記具（塗布具）がある。
こうしたタイプの筆記具（塗布具）は、柱状の形状や楕円形状の扁平体の本体に収納されており、服やカバンに携帯するにはスペースが必要であったり、クリップ等が必要であったりする（例えば、特許文献２参照。）。
【０００４】
こうしたことから、異型の筆記具（塗布具）の多くが開発されている。ここで異型とは普通の筆記具（塗布具）本体形状が円形、四角形状、多角形形状の柱状態とは異なるものをいう。
特に例えば板状の筆記具で先端にボールペンを設けたものがある。この筆記具はキャップを同じ板状のキャップとしており、キャップと本体はコの字の金属で連結されており、キャップが本体後端または本体先端のボールペンを覆うようにしてある。この時キャップを回転自在にコの字の金属で保持している（例えば、特許文献３参照。）。
【０００５】
こうした筆記具は、常時はボールペンをキャップが覆い、使用の際、キャップを本体から引き離しボールペンを露呈し、このキャップと本体がコの字の金属で連結されているためキャップを回転させながら本体後端に位置させ固定させる。そして、不使用時には再び同様にして元に戻す。こうした筆記具は、小型化されてはいるもののいまだキャップを必要としたり、筆記具先端を有することとなる。
【０００６】
また、四角形の板状体であり、四角形を対角に２回折り曲げる様に折り曲げ線が設けられており、これにより４つの三角形を作っており、そのうちの一つの三角形を切取り部分として設けている。この切取り部分を取り除いて、対角線状に２回折り曲げて、三角形頂点のうちインキ吸蔵体が露呈しており筆記可能な部分で筆記できる。本願とはその目的において近いものであるが、従来は使い捨てタイプであり、携帯にはこれら四角形の集まった全体を持ち歩かなければならない。また、フェルト等が露呈している部分の再度の気密パッキンを設けておらず再使用出来ないばかりか、構成も異なるものである（例えば、特許文献４参照。）。
【０００７】
【特許文献１】
実公昭５４−４２７３２号公報（第３頁、第１図）
【特許文献２】
実公平６−５０２３１号公報（第３頁、第３図）
【特許文献３】
実公昭６２−４１８３０号公報（第３頁、第６図、第７図）
【特許文献４】
実開平２−５０３８２号公報（第１頁、第１図−４図）
【０００８】
【発明が解決しようとする課題】
以上のように、服やカバンに携帯し難く、板状の筆記具であるため、インキの気密性がなく、直に書けなくなったり、再使用出来る構成ではないので使い捨てであったりする。
こうした課題により、特に服やカバンに携帯し易く、スペース的にも取ることのない筆記具であり、更に何度も再使用可能でコスト的にも安価な筆記具を提供するものである。
また、従来は使用時に外したラベル体のラベル裏のインキ汚れにより他を汚したり、ラベル体自体を紛失する問題を有していたが、本発明は使用時に外したラベル体によるインキ汚れや、ラベル体自体の紛失を防止することをも目的とする。
【０００９】
【課題を解決するための手段】
インキを含侵させた板状のインキ吸蔵体を内装体に内包し、更に前記内装体を内包する外装体を設けており、前記内装体と前記外装体の表面及び裏面の、どちらか少なくとも一方面に孔を設け、前記外装体の孔を内装体の孔より大径として、内装体の孔を繰返し開放・密封可能であるようなラベル体により密閉しており、使用時には前記ラベル体を外し、孔を頂点にするように外装体と内装体を折り曲げ、前記孔から内包されているインキ吸蔵体を露呈させ筆記可能状態とし、使用時に外した前記ラベル体を収納するために、前記外装体に切込みを設けたことを特徴とする塗布具である。
【００１０】
【実施例】
本発明の実施例を図１、図２、図３、図４、図５、図６、図７、図８、図９より詳細に説明する。
１は、板状のインキ吸蔵体であり、形状は四角形をしているが、三角形、円形等、特に形状には拘らない。本発明は、板状であればよい。また前記インキ吸蔵体１は、水性の染料または顔料のインキや、揮発性を有する油性インキ、ホワイトボード用のマーカーインキ等の特殊インキや油性の染料または顔料からなるインキを含浸することが可能である。
また更にインキ吸蔵体１の材質は、抱き芯フェルト、ポリプロピレン、ポリエチレン、アクリル等の合成繊維、綿等の天然繊維等で板状に圧縮加工出来るものであれば使用可能である。
【００１１】
２は、内装体であり、袋状としており、内部に前記インキ吸蔵体１を内包している。
前記内装体２の表面または裏面のうち、少なくともどちらかの一面に孔３Ａを設けている。
更に前記孔３Ａは、表面または裏面の一面の中央近傍に設けられている。
内装体２は、２枚のシートを合わせて、その内部にインキ吸蔵体１を配置し、周囲を融着して袋状としている。前記内装体２の形状は、内部のインキ吸蔵体１の形状に合わせて、四角形状、三角形状、円形状等の形状を取ることが出来る。
【００１２】
また、材質は、ペット樹脂、ポリエチレン樹脂、ポリプロピレン樹脂の熱可塑性樹脂や、２枚のシートをあわせる面にシール剤を塗布したような熱硬化性樹脂や、二層、三層構造のシート、例えば、アルミナ蒸着したような多層シート等が使用できる。特に内装体２の全体材質やインキ吸蔵体１と接触する面に設ける第２の物質等は、インキと反応しないものを使用したものであればその材質は問わない。また材質が透明であれば、インキ吸蔵体１に含侵したインクが確認できる。
【００１３】
４は、外装体であり、袋状としており、前記インキ吸蔵体１を内包した前記内装体２を更にこの外装体４で内包している。前記外装体４の表面または裏面のうち、少なくともどちらかの一面に孔３Ｂを設けているが、前記内装体２の孔３Ａと位置を合わせている。
孔３Ｂの直径は、孔３Ａの直径より大きくしている。
外装体４は、２枚のシートを合わせて、その内部にインキ吸蔵体１、内装体２を配置し、周囲を融着して袋状としている。前記外装体４の形状は、内部のインキ吸蔵体１、内装体２の形状に合わせて、四角形状、三角形状、円形状等の形状を取ることが出来る。
前記外装体４の表面または裏面のうち、少なくともどちらかの一面に切込み６を設ける。切込み６の位置や長さや形状に特に指定はなく、使用時に外したラベル体の収納時にラベル体のうち孔３Ａを塞ぐ部分が通過可能な長さ以上であればよい。また使用により切込み６の端部が裂けることを防止するために、切込み６の各端部に円形状の緩衝部７を設けてもよい。
【００１４】
外装体４の材質は、ペット樹脂、ポリエチレン樹脂、ポリプロピレン樹脂の熱可塑性樹脂や、２枚のシートをあわせる面にシール剤を塗布したような熱硬化性樹脂や、二層、三層構造のシート、例えば、アルミナ蒸着したような多層シート等が使用できる。特に外装体４の全体材質やインキ吸蔵体１と接触する面に設ける第２の物質等は、インキと反応しないものを使用したものであればその材質は問わない。特に外装体４は、手に直接触るため手触りのよいスチレン系エラストマーシート等の材質を用いることが出来る。
更に透明であれば、内装体２内のインキ吸蔵体１が確認できる。
【００１５】
５は、ラベル体であり、大きさや形状に特に指定はなく、少なくとも孔３Ａを塞ぐ部分があればよい。裏面には、孔３Ａと同一面としない様に、接着層やもう一部材を積層して設けている。例として、孔３Ａの周囲に接着剤が設けられており、前記ラベル体を貼り付け、内装体２の内部を密閉している。
前記孔３Ａの周囲に接着層やもう一部材が設けられれば、ラベル体５に設けられても、内装体２の孔３Ａの周囲に設けられても本発明の意図するところである。ラベル体５の材質は、ペット樹脂、ポリエチレン樹脂、ポリプロピレン樹脂の熱可塑性樹脂や、２枚のシートをあわせる面にシール剤を塗布したような熱硬化性樹脂や、二層、三層構造のシート、例えば、アルミナ蒸着したような多層シート等が使用できる。特にラベル体の全体材質やインキ吸蔵体１と接触する面に設ける第２の物質等は、インキと反応しないものを使用したものであればその材質は問わない。
ラベル体５を接着する接着剤とインキ吸蔵体１が直接接触していないのでインキ伝いによる滲み出しもない。
また使用時に外したラベル体の収納時にラベル体を外装体４に固定するため、ラベル体の一部に切込みを設けてもよい。
【００１６】
本発明の実施例の使用方法を詳細に説明するが、実施例の１例としてインキ吸蔵体１、内装体２、外装体４を正四角形として説明する。
孔３Ａからラベル体５を手で剥がし、孔３Ａ、孔３Ｂからインキ吸蔵体１の表面を露呈させ、外したラベル体５を切込み６から外装体４と内装体２の間に収納する。そして対角線に１回折り曲げ２等辺三角形にし、更に２等辺からなる頂点から底辺に垂直に下ろした垂線に沿って折り曲げ、前記孔３Ａ部分を頂点にする三角形にする。すると孔３Ａ、孔３Ｂからインキ吸蔵体１が露呈され、筆記可能となる。
こうして筆記が終われば、元の正四角形に戻し、外装体４と内装体２の間に収納していたラベル体５を切込み６から取出し、取出したラベル体５を孔３Ａに貼り付け気密性を再保持できるようし、持ち運び可能とする。
【００１７】
本発明の実施例の他の例として、インキ吸蔵体１を円形、内装体２、外装体４も円形、としており、孔３Ａ、孔３Ｂを中心近傍に設けられている。この実施例の使用方法は、直径に沿って半分に折り曲げ、更に半分に折り曲げ最初の円形の４分の１の円弧状となり、中心部が直角となっているので孔３Ａ、孔３Ｂからインキ吸蔵体１を露呈して筆記可能としている。こうして折り曲げを繰り返し、孔３を直角または角形状としてインキ吸蔵体を露呈できる形状であれば本発明の意図するところであるため、折り曲げる回数または孔３Ａの大きさ若しくは形状を変化させることによって、筆記線幅を太くしたり細くしたりと変化させて筆記することが可能である。
以上のように、携帯しやすく、何度も使用可能であり、インキの気密性を保持できる構成である。
【００１８】
【効果】
本発明は以上のような構成であるので、外装体４がエラストマーシートであるので手触りもよく、折り曲げにも強く、繰り返しの使用回数も耐えうるものである。また折り曲げる回数または孔３Ａの大きさ若しくは形状を変化させることによって、筆記線幅を太くしたり細くしたりと変化させて筆記することができ、携帯には板状であるので手軽にポケットやカバンに収納可能で、何度も使用して持ち運びできる。さらに、使用時に外したラベル体５を収納するために、外装体に切込み６を設けたため、ラベル体のラベル裏のインキ汚れにより他を汚したり、ラベル体自体を紛失することを防止できる。
携帯性のほか、従来の棒状の筆記具（塗布具）にはない「摘んで描く」「握って描く」という使い方ができる。
【００１９】
【図面の簡単な説明】
【図１】本発明の実施例の正面全体図。
【図２】本発明の実施例のラベル体を外した正面全体図。
【図３】本発明の実施例の背面全体図。
【図４】本発明の実施例のラベル体を切込みから収納した背面全体図。
【図５】本発明の実施例のラベル体を外し、対角線上に１回折り曲げた状態の説明図。
【図６】本発明の実施例のラベル体を外し、対角線上に２回折り曲げた状態の説明図。
【図７】本発明の実施例のＡ−Ａ断面図。
【図８】本発明の実施例のＢ−Ｂ断面図。
【図９】本発明の実施例の使用状態の説明図。
【符号の説明】
１  ：インキ吸蔵体
２  ：内装体
３  ：孔
４  ：外装体
５  ：ラベル体
６  ：切込み
７  ：緩衝部
【図１】
2004230683.tif 000003
【図２】
2004230683.tif 000004
【図３】
2004230683.tif 000005
【図４】
2004230683.tif 000006
【図５】
2004230683.tif 000007
【図６】
2004230683.tif 000008
【図７】
2004230683.tif 000009
【図８】
2004230683.tif 000010
【図９】
2004230683.tif 000011